(57)【要約】【課題】インデックス映像のチャンネルをメイン映像のチャンネルに移行させる処理を簡単にすることができ、また、インデックス映像のチャンネルを任意に切り換えることを可能にしたテレビジョン受像機の表示方法及びテレビジョン受像機並びにコンピュータプログラムを提供することを目的とする。【解決手段】メイン映像を表示する通常の表示画面と、少なくとも複数のインデックス映像を表示するインデックス用の表示画面とを切り換える機能を備えたテレビジョン受像機の表示方法において、前記メイン映像のチャンネルを、前記インデックス用の表示画面の特定の領域に表示されたインデックス映像のチャンネルに切り換える。【選択図】        図１
2004248163.tif 000002
【特許請求の範囲】
【請求項１】
メイン映像を表示する通常の表示画面と、少なくとも複数のインデックス映像を表示するインデックス用の表示画面とを切り換える機能を備えたテレビジョン受像機の表示方法において、前記メイン映像のチャンネルを、前記インデックス用の表示画面の特定の領域に表示されたインデックス映像のチャンネルに切り換えることを特徴とするテレビジョン受像機の表示方法。
【請求項２】
前記インデックス用の表示画面が表示されている状態において、前記メイン映像のチャンネルを切り換えるのに用いられる操作部の操作信号に基づいて、前記インデックス映像のチャンネルを切り換えることを特徴とする請求項１記載のテレビジョン受像機の表示方法。
【請求項３】
操作部の操作信号に基づいて、前記複数のインデックス映像のチャンネルを自動的に所定の時間毎に増加又は減少させることを特徴とする請求項１又は２記載のテレビジョン受像機の表示方法。
【請求項４】
前記インデックス用の表示画面に、１つチャンネルのメイン映像と、複数のチャンネルのインデックス映像とを表示し、前記複数のインデックス映像の内、特定の領域のインデックス映像のチャンネルを変更すると、その変更に伴って、その変更後のチャンネルと、それに前後するチャンネルの映像をインデックス映像として表示することを特徴とする請求項１〜３の何れかに記載のテレビジョン受像機の表示方法。
【請求項５】
操作手段と、
表示装置と、
メイン映像用の第１のチューナーと、
インデックス映像用の第２のチューナーと、
前記第１のチューナー及び／又は前記第２のチューナーからの映像信号を処理して前記表示装置に表示させる演算装置とを備え、
前記演算手段は、前記表示装置に、メイン映像を表示する通常の表示画面と、少なくとも複数のインデックス映像を表示するインデックス用の表示画面とを切り換えて表示させる機能を備え、前記操作手段の操作信号に基づいて前記第１のチューナーを調整し、前記メイン映像のチャンネルを、前記インデックス用の表示画面の特定の領域に表示されたインデックス映像のチャンネルに切り換えることを特徴とするテレビジョン受像機。
【請求項６】
前記演算手段は、前記表示装置の表示画面を前記インデックス用の表示画面に切り換えた状態において、前記メイン映像のチャンネルを切り換えるのに用いられる操作部の操作信号に基づいて前記第２のチューナーを調整し、前記インデックス映像のチャンネルを切り換えることを特徴とする請求項５記載のテレビジョン受像機。
【請求項７】
前記演算手段は、前記操作部の操作信号に基づいて前記第２のチューナーを調整し、前記複数のインデックス映像のチャンネルを自動的に所定の時間毎に増加又は減少させることを特徴とする請求項５記載のテレビジョン受像機。
【請求項８】
前記演算手段は、前記操作手段から第１の操作信号が入力すると、前記複数のインデックス映像のチャンネルの変更を停止させることを特徴とする請求項７記載のテレビジョン受像機。
【請求項９】
前記演算手段は、前記複数のインデックス映像のチャンネルが自動的に変更していない状態において、前記操作手段から前記第１の操作信号が入力すると、メイン映像のチャンネルを、前記インデックス画面の特定の領域に表示されたインデックス映像のチャンネルに切り換えることを特徴とする請求項８記載のテレビジョン受像機。
【請求項１０】
前記演算手段は、前記インデックス用の表示画面として、通常の表示画面のチャンネルの映像と、複数のチャンネルのインデックス映像とを前記表示装置に表示させ、前記操作部により前記複数のインデックス映像の内、特定の領域のインデックス映像のチャンネルを変更すると、その変更に伴って、その変更後のチャンネルと、それに前後するチャンネルの映像をインデックス映像として表示することを特徴とする請求項５〜９の何れかに記載のテレビジョン受像機。
【請求項１１】
請求項５〜１０の何れかに記載のテレジョン受信機における演算手段を中央演算処理装置に行わせることを特徴とするコンピュータプログラム。
【発明の詳細な説明】
【０００１】
【発明の属する技術分野】
本発明は、メイン映像を表示する通常の表示画面とインデックス映像を表示するインデックス用の表示画面とを切り換えて表示する機能をもったテレビジョン受像機の表示方法及びテレビジョン受像機並びにコンピュータプログラムに関する。
【０００２】
【従来の技術】
従来、テレビジョン受像機には１つの画面を１つの主画面と複数の副画面とに分割し、主画面には表番組を表示し、副画面は裏番組を表示するようにしたものがある（例えば特許文献１及び２）。
【０００３】
【特許文献１】
特開平７−１０７４１０号公報
【０００４】
【特許文献２】
特開平８−２５１５０１号公報
【０００５】
【発明が解決しようとする課題】
従来のテレビジョン受像機の副画面には裏番組の映像が表示されるが、そのチャンネルを任意に切り換えることができず、また、裏番組のチャンネルを表番組のチャンネルに移行させるには制約があり、操作性が悪いという問題点があった。
【０００６】
本発明は、上記のような問題点を解決するためになされたものであり、インデックス映像のチャンネルをメイン映像のチャンネルに移行させる処理を簡単にすることができ、また、インデックス映像のチャンネルを任意に切り換えることを可能にしたテレビジョン受像機の表示方法及びテレビジョン受像機並びにプログラムを提供することを目的とする。
【０００７】
【課題を解決するための手段】
本発明に係るテレビジョン受像機の表示方法は、メイン映像を表示する通常の表示画面と、少なくとも複数のインデックス映像を表示するインデックス用の表示画面とを切り換える機能を備えたテレビジョン受像機の表示方法において、前記メイン映像のチャンネルを、前記インデックス用の表示画面の特定の領域に表示されたインデックス映像のチャンネルに切り換える。本発明においては、通常の表示画面と、インデックス用の表示画面とを切り換える機能を備えており、テレビを視聴する際には通常の表示画面に切り換えて観賞する。そのような場合において、他のチャンネルがどのような番組をやっているのか見たい場合には、インデックス用の表示画面に切り換えて複数のインデックス映像を表示させてその内容を把握する。そして、前記インデックス映像のチャンネルを適宜変更し、インデックス表示画面の特定の領域に、見たいと思ったインデックス映像のチャンネルをもってくる。そして、例えば操作部を操作することにより、メイン映像のチャンネルを前記インデックス画面の特定の領域に表示されたインデックス映像のチャンネルに切り換えることにより、見たい番組を通常の表示画面において見ることができる。このようにして、前記インデックス映像の内、特定の領域に表示されたインデックス映像のチャンネルの番組を通常の表示画面において見ることができるようにしたのでチャンネルの移行が適切になされ、操作性に優れたものとなっている。
【０００８】
また、本発明に係るテレビジョン受像機の表示方法は、前記インデックス用の表示画面が表示されている状態において、前記メイン映像のチャンネルを切り換えるのに用いられる操作部の操作信号に基づいて、前記インデックス映像のチャンネルを切り換える。本発明においては、前記メイン映像のチャンネルを切り換えるのに用いられる操作部の操作信号に基づいて、前記インデックス映像のチャンネルを切り換えるようにしたので、操作性が優れたものとなっている。
【０００９】
本発明に係るテレビジョン受像機の表示方法は、操作部の操作信号に基づいて、前記複数のインデックス映像のチャンネルを自動的に所定の時間毎に増加又は減少させる。本発明においては、インデックス映像のチャンネル（選局周波数）を自動的に所定の時間毎に増加又は減少させることによりスクロールさせることが可能なっており、インデックス映像を短時間で多数確認する際に便利であり、操作性に優れたものとなっている。
【００１０】
本発明に係るテレビジョン受像機の表示方法は、前記インデックス用の表示画面に、１つチャンネルのメイン映像と、複数のチャンネルのインデックス映像とを表示し、前記複数のインデックス映像の内、特定の領域のインデックス映像のチャンネルを変更すると、その変更に伴って、その変更後のチャンネルと、それに前後するチャンネルの映像をインデックス映像として表示する。本発明においては、特定の領域のインデックス映像のチャンネルを変更すると、その変更に伴って、その変更後のチャンネルと、それに前後するチャンネルの映像がインデックス映像として表示されるので、操作性に優れたものとなっている。
【００１１】
本発明に係るテレビジョン受像機は、操作手段と、表示装置と、メイン映像用の第１のチューナーと、インデックス映像用の第２のチューナーと、前記第１のチューナー及び／又は前記第２のチューナーからの映像信号を処理して表示装置に表示させる演算装置とを備え、前記演算手段は、前記表示装置に、メイン映像を表示する通常の表示画面と、少なくとも複数のインデックス映像を表示するインデックス用の表示画面とを切り換えて表示させる機能を備え、前記操作手段の操作信号に基づいて前記第１のチューナーを調整し、前記メイン映像のチャンネルを、前記インデックス用の表示画面の特定の領域に表示されたインデックス映像のチャンネルに切り換える。本発明においては、前記操作手段の操作信号に基づいて前記第１のチューナーを調整し、前記メイン映像のチャンネルを、前記インデックス用の表示画面の特定の領域に表示されたインデックス映像のチャンネルに切り換えるようにしている。このようにして、前記インデックス映像の内、特定の領域に表示されたインデックス映像のチャンネルの番組を通常の表示画面において見ることができるようにしたのでチャンネルの移行が適切になされ、操作性に優れたものとなっている。
【００１２】
また、本発明に係るテレビジョン受像機において、前記演算手段は、前記表示装置の表示画面を前記インデックス用の表示画面に切り換えた状態において、前記メイン映像のチャンネルを切り換えるのに用いられる操作部の操作信号に基づいて前記第２のチューナーを調整し、前記インデックス映像のチャンネルを切り換える。本発明においては、前記メイン映像のチャンネルを切り換えるのに用いられる操作部の操作信号に基づいて、前記インデックス映像のチャンネルを切り換えるようにしたので、操作性が優れたものとなっている。
【００１３】
また、本発明に係るテレビジョン受像機において、前記演算手段は、前記操作部の操作信号に基づいて前記第２のチューナーを調整し、前記複数のインデックス映像のチャンネルを自動的に所定の時間毎に増加又は減少させる。本発明においては、インデックス映像のチャンネル（選局周波数）を自動的に所定の時間毎に増加又は減少させることによりスクロールさせることが可能なっており、インデックス映像を短時間で多数確認する際に便利であり、操作性に優れたものとなっている。
【００１４】
また、本発明に係るテレビジョン受像機において、前記演算手段は、前記操作手段から第１の操作信号が入力すると、前記複数のインデックス映像のチャンネルの変更を停止させる。
【００１５】
また、本発明に係るテレビジョン受像機において、前記演算手段は、前記複数のインデックス映像のチャンネルが自動的に変更していない状態において、前記操作手段から前記第１の操作信号が入力すると、メイン映像のチャンネルを、前記インデックス画面の特定の領域に表示されたインデックス映像のチャンネルに切り換える。
【００１６】
また、本発明に係るテレビジョン受像機において、前記演算手段は、前記インデックス用の表示画面として、通常の表示画面のチャンネルの映像と、複数のチャンネルのインデックス映像とを前記表示装置に表示させ、前記操作部により前記複数のインデックス映像の内、特定の領域のインデックス映像のチャンネルを変更すると、その変更に伴って、その変更後のチャンネルと、それに前後するチャンネルの映像をインデックス映像として表示する。
【００１７】
また、本発明に係るコンピュータプログラムは、上記のテレジョン受信機における演算手段を中央演算処理装置（ＣＰＵ）に行わせる。
【００１８】
【発明の実施の形態】
実施形態１．
図１は本発明の実施形態１に係るテレビ受像機の構成図である。図１のテレビ受像機は、１対のアンテナ１１，１２及び１対のチューナー１３，１４を備えており、チューナー１３はメイン映像用のチューナーであり、アンテナ１１の受信信号を選局信号に基づいてチューニングしてメイン用ビデオデコーダー１５に出力する。チューナー１４はインデックス映像用のチューナーであり、アンテナ１２の受信信号を選局信号に基づいてチューニングしてインデックス用ビデオデコーダー１６に出力する。メイン用ビデオデコーダー１５及びインデックス用ビデオデコーダー１６はそれぞれ入力信号をデコードし、且つデジタル信号に変換して演算装置１７に出力する。
【００１９】
演算装置（ＣＰＵ）１７は、そのメモリ（図示せず）に後述の各種の演算処理を行うためのプログラムが格納されており、例えばメイン用ビデオデコーダー１５からの信号に演算処理を施してメイン映像用の映像信号を生成して表示デバイスコントローラ１９に出力する。表示デバイスコントローラ１９は、演算装置１７からの例えばメイン映像の映像信号に基づいて表示デバイス（ＬＣＤ）２０を制御して映像（画像）を生成する。演算装置１７は、リモートコントローラ２１からの操作信号にチャンネルの切換信号が含まれていると、その切換信号に応じてチューナー１３に選局信号を送出してチャンネルの切り換えを行わせ、そのチャンネルの信号を取り込んで表示デバイス２０に表示させる。また、演算装置１７は、リモートコントローラ２１からの操作信号にインデックス機能の操作信号が含まれていると、その操作信号に対応した選局信号をチューナー１４に出力して例えば複数のチャンネルの映像信号を順次取り込んで、表示デバイス２０にメイン映像（動画）とともに複数のインデックス映像（静止画）を表示させる。
【００２０】
また、演算装置１７は、インデックス映像のチャンネルを自動的に切り替えるためのインデックスチャンネルの自動切換フラグ（＋）１８ａ、自動切換フラグ（−）１８ｂ、第１のタイマ１８ｃ及び第２のタイマ１８ｄを備えている。これらの機能については後述する。
【００２１】
図２はリモートコントローラ２１の正面図である。このリモートコントローラ２１の操作キーの機能は次の表１に示されるとおりであるが、特に、本実施形態１において特有な操作キーについて説明する。
【００２２】
【表１】
2004248163.tif 000003
【００２３】
図３は［Ｃｈａｎｎｅｌ  Ｉｎｄｅｘ］キー（以下、インデックスキーという）２２の機能の説明図である。例えば通常の表示画面３１が表示されている状態において、インデックスキー２２が操作されると、インデックス用の表示画面３２の表示に移行する。また、インデックス用の表示画面３２が表示されている状態において、インデックスキー２２が操作されると、通常の表示画面３１に移行する。なお、本実施形態１において、通常の表示画面３１とは画面の全体に選択されたチャンネルの映像（動画）が表示される画面をいう。また、インデックス用の表示画面とは、画面の所定領域（この例では左側の領域）３３に選択されたチャンネルのメイン映像（動画）が表示され、画面の残りの領域（この例では右側）３４にインデックス画面として複数のチャンネルのインデックス映像が表示される画面をいう（但し、メイン映像は必ずしも必須ではない）。本実施形態１においては、７個のインデックス映像が表示されており、図３の表示画面において、スナップ４にはインデックス映像の中央（中心）チャンネルの映像が表示されるものとし、スナップ４が表示されている領域を特定の領域３５と称するものとする。スナップ５〜７にはスナップ４よりも数値が大きいチャンネルの映像が表示され（例えばスナップ４が４ＣＨである場合には、５〜７ＣＨ）、スナップ３〜１には数値が小さいチャンネルの映像が表示される（例えばスナップ４が４ＣＨである場合には、３〜１ＣＨ）。
【００２４】
図４は［Ｕｐ］キー（以下、上向きキーという）２３の機能の説明図である。この上向きキー２４が操作されると、演算装置１７は、インデックスチャンネルの自動切換フラグ（＋）１８ａをオン（セット）して、複数のインデックスチャンネルを所定の時間間隔でそれぞれ大きい方に移行させて、インデックス用の表示画面に複数のインデックス映像を表示させる。
【００２５】
図５は［Ｄｏｗｎ］キー（以下、下向きキーという）２４の機能の説明図である。この下向きキー２３が操作されると、演算装置１７は、インデックスチャンネルの自動切換フラグ（−）１８ｂをオン（セット）して、インデックスチャンネルを所定の時間間隔でそれぞれ小さい方に移行させて、インデックス用の表示画面に複数のインデックス映像を表示させる。
【００２６】
図６は［Ｅｎｔｅｒ］キー（以下、決定キーという。本発明の第１の操作信号を出力するキーである。）２５及び［ＳＷＡＰ］キー（以下、スワップキーという）２６の機能の説明図である。この決定キー２５又はスワップキー２６が操作されると、演算装置１７は、メイン映像のチャンネルをインデックス映像の中央チャンネルに切り換える処理をする。但し、決定キー２５が操作されると、まず、インデックスチャンネルの自動切換フラグ（＋）１８ａ又は自動切換フラグ（−）１８Ｂをオフ（リセット）し、次に、決定キー２５が操作されると、メイン映像のチャンネルをインデックス映像の中央チャンネルに切り換える処理をする。スワップキー２６については、メイン映像のチャンネルをインデックス映像の中央チャンネルに切り換える処理をするが、インデックスチャンネルの自動切換フラグ（＋）１８ａ又は自動切換フラグ（−）１８ｂをオフにする処理は行わない。
【００２７】
また、リモートコントローラ２１のチャンネルキー２７、［ＣＨ＋］キー２８ａ及び［ＣＨ−］キー２８ｂについては、演算装置１７は、それらのキー操作によりインデックス映像の中央チャンネルを切り替えて、そのチャンネルとその前後の所定数のチャンネルの映像をインデックス表示領域３４に表示させる。
【００２８】
図７及び図８は図１のテレビジョン受像機におけるリモートコントローラ２１の操作により処理過程を示したフローチャートである。ここで、初期の段階においては、表示デバイス２０には画面全体にメイン映像が表示されており、通常の表示画面３１になっているものとする。
（Ｓ１１）演算装置１７は、リモートコントローラ２１からのインデックスキーの操作信号が入力したかどうかを判断する。
（Ｓ１２）演算装置１７は、表示デバイス２０に通常の表示画面が表示されている状態において、リモートコントローラ２１のインデックスキー２２の操作信号が入力したと判断すると、そのときのメイン映像のチャンネルからインデックス映像の中央チャンネルを求めて設定する。例えばメイン映像のチャンネルが８チャンネルの場合には、インデックス映像の中央チャンネルをその後のチャンネルであるチャンネル９に設定する。
【００２９】
（Ｓ１３）演算装置１７は、チャンネル９及びその前後のチャンネル（この例ではチャンネル６〜８、チャンネル１０〜１２）の映像を取得すべくチューナー１４に選局信号を出力して上記のチャンネルを順次切り替える。チューナー１４からはこれらのチャンネルの映像信号が出力され、インデックス用ビデオデコーダー１６を介して演算装置１７に入力する。
（Ｓ１４）演算装置１７は、チューナー１３からのメイン映像と、インデックス映像とをそれぞれメモリ（フレームメモリ）（図示せず）に書き込んで、表示デバイス２０にそれぞれ予め設定された領域３３，３４に表示させる。なお、このとき、メイン映像は動画であり、インデックス映像は静止画である。
【００３０】
（Ｓ１５）演算装置１７は、リモートコントローラ２１のチャンネル切換キー（チャンネルキー２７、［ＣＨ＋］キー２８ａ、［ＣＨ−］キー２８ｂ）の操作信号が入力されたかどうかを判断する。
（Ｓ１６）演算装置１７は、リモートコントローラ２１のチャンネル切換キーの操作信号が入力していると判断すると、そのキー入力に応じてインデックス映像の中央チャンネルを設定する。例えばチャンネルキー２７により特定のチャンネルが入力されると、そのチャンネルを中央チャンネルに設定する。［ＣＨ＋］キー２８ａが操作されると、そのときの中央チャンネルをインクリメントする。［ＣＨ−］キー２８ｂが操作されると、そのときの中央チャンネルをデクリメントする。このようにして中央チャンネルが変更されると、上記の処理（Ｓ１３），（Ｓ１４）に戻って、変更後の中央チャンネル及びその前後のチャンネルのインデックス映像を表示させる。
【００３１】
（Ｓ１７）演算装置１７は、リモートコントローラ２１のチャンネル切換キーの操作信号が入力していないと判断すると、次に、上向きキー２３の操作信号が入力されたかどうかを判断する。
（Ｓ１８）演算装置１７は、リモートコントローラ２１の上向きキー２３の操作信号が入力していると判断すると、そのときの中央チャンネルをインクリメントする。また、このとき、チャンネル自動切換（＋）フラグ１８ａをオンに設定し、チャンネル自動切換（＋）フラグ１８ａの継続時間を計測する第１のタイマ１８ｃをスタートさせる。また、チャンネル自動切換（−）フラグ１８ｂをオフ（リセット）にする（以前の状態がオン又はオフの状態如何にかかわらず）。このようにして中央チャンネルがインクリメントされると、上記の処理（Ｓ１３），（Ｓ１４）に戻って、変更後の中央チャンネル及びその前後のチャンネルのインデックス映像を表示させる。
【００３２】
（Ｓ１９）演算装置１７は、リモートコントローラ２１の上向きキー２３の操作信号が入力していないと判断すると、次に、下向きキー２４の操作信号が入力されたかどうかを判断する。
（Ｓ２０）演算装置１７は、リモートコントローラ２１の下向きキー２４の操作信号が入力していると判断すると、そのときの中央チャンネルをデクリメントする。また、このとき、このとき、チャンネル自動切換（−）フラグ１８ｂをオンに設定し、チャンネル自動切換（−）フラグ１８ｂの継続時間を計測する第２のタイマ１８ｄをスタートさせる。また、チャンネル自動切換（＋）フラグ１８ａをオフ（リセット）する（以前の状態がオン又はオフの状態如何にかかわらず）。このようにして中央チャンネルがインクリメントされると、上記の処理（Ｓ１３），（Ｓ１４）に戻って、変更後の中央チャンネル及びその前後のチャンネルのインデックス映像を表示させる。
【００３３】
（Ｓ２１）演算装置１７は、リモートコントローラ２１の下向きキー２５の操作信号が入力していないと判断すると、次に、決定キー２５の操作信号が入力されているかどうかを判断する。
（Ｓ２２）演算装置１７は、リモートコントローラ２１の決定キー２５の操作信号が入力されていないという判断すると、次に、チャンネル自動切換（＋）フラグ１８ａがオンに設定されているかどうかを判断する。
【００３４】
（Ｓ２３）演算装置１７は、チャンネル自動切換（＋）フラグ１８ａがオンに設定されていないという判断すると、次に、チャンネル自動切換（−）フラグ１８ｂがオンに設定されているかどうかを判断する。
（Ｓ２４）演算装置１７は、チャンネル自動切換（−）フラグ１８ｂがオンに設定されていないという判断すると、次に、スワップキー２６の操作信号が入力されているかどうかを判断する。
（Ｓ２５）演算装置１７は、スワップキー２６の操作信号が入力されていないという判断をすると、次に、インデックスキー２２の操作信号が入力されているかどうかを判断する。インデックスキー２２の操作信号が入力されていると判断した場合には、このインデックス映像を表示させる機能を終了させる。また、インデックスキー２２の操作信号が入力されていないという判断した場合には、上記の処理（Ｓ１５）に戻ってこの機能が継続されることになる。
【００３５】
（Ｓ２６）また、演算装置１７は、上記の処理（Ｓ２１）において決定キー２５の操作信号が入力されていると判断すると、次に、チャンネル自動切換（＋）又は（−）フラグ１８ａ，１８ｂがオンに設定されているかどうかを判断する。
（Ｓ２７）演算装置１７は、チャンネル自動切換（＋）又は（−）フラグがオンに設定されているという判断をすると、チャンネル自動切換（＋）又は（−）フラグ１８ａ，１８ｂをオフにする（リセットする）。即ち、チャンネル自動切換（＋）又は（−）フラグ１８ａ，１８ｂがオンに設定されている状態において、決定キーを２５操作すると、チャンネル自動切換（＋）又は（−）フラグ１８ａ，１８ｂがオフになり、インデックス映像のチャンネルの自動切換（スクロール）が停止することになる。
（Ｓ２８）演算装置１７は、上記（Ｓ２６）においてチャンネル自動切換（＋）又は（−）フラグ１８ａ，１８ｂがオンに設定されていないという判断をすると、メイン映像のチャンネルをインデックス映像の中央チャンネルに設定し、上記の処理（Ｓ１５）に戻ってこの機能が継続されることになる。
【００３６】
（Ｓ２９）演算装置１７は、上記の処理（Ｓ２２）においてチャンネル自動切換（＋）フラグ１８ａがオンに設定されているという判断をすると、チャンネル自動切換（＋）フラグ１８ａがオンに設定されてから一定時間が経過したかどうかを第１のタイマ１８ｃに基づいて判断する。一定時間が経過していないという判断をした場合には上記の処理（Ｓ２４）に移行する。
（Ｓ３０）演算装置１７は、上記の処理（Ｓ２９）において、一定時間が経過しているという判断をした場合には、インデックス映像の中央チャンネルをインクリメントする。このとき、第１のタイマ１８ｃをリセットして、再び計測をスタートさせる。そして、上記の処理（Ｓ１３）に移行し、インクリメントされた中央チャンネル及びその前後のチャンネルのインデックス映像を表示させる。このようにして、上向きキー２３が操作されると、インデックス映像のチャンネルは一定の時間毎にチャンネルが大きな値を示す方向に遷移することになる。
【００３７】
（Ｓ３１）演算装置１７は、上記の処理（Ｓ２３）においてチャンネル自動切換（−）フラグ１８ｂがオンに設定されているという判断をすると、チャンネル自動切換（−）フラグ１８ｂオンに設定されてから一定時間が経過したかどうかを第２のタイマ１８ｄに基づいて判断する。一定時間が経過していないという判断をした場合には上記の処理（Ｓ２４）に移行する。
（Ｓ３２）演算装置１７は、上記の処理（Ｓ３１）において、一定時間が経過しているという判断をした場合には、インデックス映像の中央チャンネルをデクリメントする。このとき、第２のタイマ１８ｄをリセットし、再び計測をスタートさせる。そして、上記の処理（Ｓ１３）に移行し、デクリメントされた中央チャンネル及びその前後のチャンネルのインデックス映像を表示させる。このようにして、下向きキー２４が操作されると、インデックス映像のチャンネルは一定の時間毎にチャンネルが小さな値を示す方向に遷移することになる。
【００３８】
図９はリモートコントローラ２１の操作と表示デバイス２０の表示映像との関係を示した説明図である。例えば同図（ａ）に示されるように通常の表示画面が表示されている態様において、インデックスキー２２が操作されると、同図（ｂ）に示されるようにインデックス用の表示画面（メイン映像＋インデックス映像）に遷移する。そして、その状態で更にインデックスキーを操作すると、同図（ａ）に示される通常の表示画面に戻る（Ｓ１１、Ｓ２５）。
【００３９】
また、同図（ｂ）のインデックスの表示画面において、上向きキー２４を操作すると、インデックスチャンネル自動切換（＋）フラグ１８ａがオンになり、同図（ｃ）に示されるようにインデックス映像の中央チャンネルが一定時間ごとにインクリメントされて、中央チャンネル及びその前後のチャンネルのインデックス映像が表示される（Ｓ１７、Ｓ１８、Ｓ２２、Ｓ２９、Ｓ３０、Ｓ１３、Ｓ１４）。また、同図（ｃ）の状態で決定キー２５を操作すると、インデックスチャンネル自動切換（＋）フラグ１８ａがオフになり、インデックス映像のチャンネルの変化は停止して同図（ｂ）の表示態様に戻る（Ｓ２１、Ｓ２６、Ｓ２８）。
【００４０】
また、同図（ｂ）のインデックス用の表示画面において、下向きキー２４を操作すると、インデックスチャンネル自動切換（−）フラグ１８ｂがオンになり、同図（ｄ）に示されるようにインデックス映像の中央チャンネルが一定時間ごとにデクリメントされ、中央チャンネル及びその前後のチャンネルのインデックス映像が表示される（Ｓ１９、Ｓ２０、Ｓ２３、Ｓ３１、Ｓ３２、Ｓ１３、Ｓ１４）。また、同図（ｄ）の状態で決定キー２５を操作すると、インデックスチャンネル自動切換（−）フラグ１８ｂがオフになり、インデックス映像のチャンネルの変化は停止して同図（ｂ）の表示態様に戻る（Ｓ２１、Ｓ２６、Ｓ２８）。
【００４１】
また、同図（ｃ）の表示画面において、下向きキー２４を操作すると、インデックスチャンネル自動切換（−）フラグ１８ｂがオンになり（インデックスチャンネル自動切換（＋）フラグ１８ａがオフ）、同図（ｄ）に示されるようにインデックス映像の中央チャンネルが一定時間ごとにデクリメントされ、中央チャンネル及びその前後のチャンネルのインデックス映像が表示される（Ｓ１９、Ｓ２０、Ｓ２３、Ｓ３１、Ｓ３２、Ｓ１３、Ｓ１４）。また、同図（ｄ）の表示画面において、上向きキー２３を操作すると、インデックスチャンネル自動切換（＋）フラグ１８ａがオンになり（インデックスチャンネル自動切換（−）フラグ１８ｂがオフ）、同図（ｄ）に示されるようにインデックス映像の中央チャンネルが一定時間ごとにインクリメントされ、中央チャンネル及びその前後のチャンネルのインデックス映像が表示される（Ｓ１７、Ｓ１８、Ｓ２２、Ｓ２９、Ｓ３０、Ｓ１３、Ｓ１４）。
【００４２】
また、同図（ｂ）の表示画面において（インデックスチャンネル自動切換（＋），（−）フラグ１８ａ，１８ｂがオフ）、決定キー２５を操作すると、メイン映像のチャンネルがインデックス映像の中央チャンネルに切り替わる（Ｓ２１、Ｓ２６、Ｓ２７）。また、同図（ｂ）の表示画面において、チャンネル切換キーにより、例えチャンネルキー２７により２０ｃｈ（チャンネル）を入力すると、同図（ｆ）に示されるようにインデックス映像の中央チャンネルが２０ｃｈに設定され、その中央チャンネル及びその前後のチャンネルのインデックス映像が表示される（Ｓ１５、Ｓ１６、Ｓ１３、Ｓ１４）。また、この（ｆ）の表示画面において、下向キー２４を操作すると同図（ｄ）の表示画面に遷移し、決定キー２５を操作すると同図（ｅ）の表示画面に遷移することになる。
【００４３】
また、同図（ｃ）の表示画面において（例えばインデックスチャンネル自動切換（＋）フラグ１８ａがオン）、スワップキー２６を操作すると、同図（ｇ）に示されるように、メイン映像のチャンネルがインデックス映像の中央チャンネルに切り替わる。なお、このときはインデックスチャンネル自動切換（＋）フラグ１８ａがオンの状態を維持するので、インデックス映像の中央チャンネルはインクリメントされ、中央チャンネル及びその前後のチャンネルのインデックス映像は遷移する。
【００４４】
また、同図（ｇ）の表示態様においてインデックスキー２２を操作すると、同図（ａ）に示される通常の表示画面に戻る。なお、同図（ａ）のメイン映像は８ｃｈになっているが、同図（ｇ）から移行した場合には１０ｃｈの映像が表示されることになる。
【００４５】
以上のように本実施形態１においては、インデックスキーの操作により通常の表示画面とインデックス用の表示画面とを切り換え、インデックス用の表示画面に切り換えた後は、チャンネル切換キー（２７，２８ａ，２８ｂ）によって通常の表示画面と同様な処理によってとインデックス用の表示画面のチャンネルを切り換えている。また、メニューを設定する際に利用される上向きキー２３、下向きキー２４によってインデックス用の表示画面（インデックス映像）のチャンネルを切り替えるようにようにしている。また、上向きキー２３又は下向きキー３４の操作によってインデックス映像のチャンネルを自動的に変更させるとともに、決定キー２５によりその自動的な変更を停止させるようにしている。また、決定キー２５又はスワップキー２６により、メイン映像のチャンネルをインデックス映像の中央チャンネルに切り換えるようにしている。したがって、本実施形態１においては、インデックス映像のチャンネルを任意に切り替えることが可能になっており、また、メイン映像のチャンネルを、インデックス映像の内、特定の領域にあるインデックス映像のチャンネルに切り換えるようにしており、操作性に優れたものとなっている。
【００４６】
実施形態２．
なお、上記の実施形態１においては、メイン画面のチャンネルをインデックス映像の中央チャンネルに自動的に切り換える例について説明したが、メイン映像のチャンネルに移行するチャンネルはインデックス映像の内、予め設定された領域のチャンネルであればよく、中央チャンネルに限定されるものではない。また、インデックス映像の各チャンネルの配置は山形の例（左右に３個、中央上部に１個）について説明したが、その配置及び個数は任意であり、上記の実施形態１の例に限定されるものではない。また、インデックス映像の個数は７個の例について説明したが、その個数個数は任意であり、例えばメニューによりその個数を設定するようにしてもよい。また、中央チャンネルの前後のチャンネル数がそれぞれ３個の例について説明したが、その個数は必ずしも同数である必要はなく、その個数自体も適宜変更し得るものである。
【００４７】
また、上記の実施形態１においては、インデックス映像を静止映像とする例について説明したが、その内の１つ、例えば中央チャンネルのインデックス映像を動画にしてもよい。その場合には、中央チャンネルのインデックス映像を動画にすることによりその内容を確認した上でメイン映像に移行させることになる。また、上記の実施形態１においては、インデックス映像のチャンネルを連続的に変化させる例について説明したが、空きチャンネルがある場合にはその分をスキップして変化させるものとする。
【図面の簡単な説明】
【図１】本発明の実施形態１に係るテレビ受像機の構成図。
【図２】リモートコントローラの正面図。
【図３】インデックスキーの機能説明図。
【図４】上向きキーの機能の説明図。
【図５】下向きキーの機能の説明図。
【図６】決定キー及びスワップキーの機能の説明図。
【図７】演算処理装置の処理過程を示したフローチャート（その１）。
【図８】演算処理装置の処理過程を示したフローチャート（その２）。
【図９】リモートコントローラの操作と表示デバイスの表示画面との関係を示した説明図。
【符号の説明】
１１，１２  アンテナ、１３，１４  チューナー、１５  メイン用ビデオデコーダー、１６  インデックス用ビデオデコーダー、１７  演算装置、１８ａ  インデックスチャンネルの自動切換（＋）フラグ、１８ｂ  インデックスチャンネルの自動切換（−）フラグ、１８ｃ  第１のタイマ、１８ｄ  第２のタイマ、１９  表示デバイスコントローラ、２０  表示デバイス、２１  リモートコントローラ。
【図１】
2004248163.tif 000004
【図２】
2004248163.tif 000005
【図３】
2004248163.tif 000006
【図４】
2004248163.tif 000007
【図５】
2004248163.tif 000008
【図６】
2004248163.tif 000009
【図７】
2004248163.tif 000010
【図８】
2004248163.tif 000011
【図９】
2004248163.tif 000012